(57)【要約】【課題】同じコマンドを入力しても、機器の動作状態に応じて適切な制御を行うことができる電子機器を提供することである。【解決手段】コマンド情報抽出手段（ＣＰＵ１２１、コマンド情報抽出プログラム１２３ｃ）によって、音声情報取得手段（音声情報取得部１０）により取得された音声情報の音声認識を行いコマンド情報記憶手段（コマンドテーブル１２３ａ）に記憶されたコマンド情報を抽出し、判別手段（ＣＰＵ１２１、判別プログラム１２３ｄ）によって、コマンド情報が抽出された際、機器本体部１の動作状態を判別し、制御手段（ＣＰＵ１２１、制御プログラム１２３ｅ）によって、判別手段により判別された当該機器本体部１の動作状態に基づいて、コマンド情報抽出手段により抽出されたコマンド情報に応じた制御情報をコマンド情報記憶手段から抽出して、当該制御情報に基づいて制御を行う。【選択図】図１
2007324866.tif 000002
【特許請求の範囲】
【請求項１】
外部から入力される音声情報の音声認識を行い、音声認識結果に基づき得られたコマンド情報により制御されるテレビ受像機において、
当該テレビ受像機を制御するための一のコマンド情報と、複数の動作状態における各動作制御に関する制御情報とを対応付けて記憶するコマンド情報記憶手段と、
音声情報を取得する音声情報取得手段と、
前記音声情報取得手段により取得された前記音声情報の音声認識を行い、前記コマンド情報記憶手段に記憶された前記コマンド情報を抽出するコマンド情報抽出手段と、
前記コマンド情報抽出手段により前記コマンド情報が抽出された際、当該テレビ受像機の動作状態を判別する判別手段と、
前記判別手段により判別された当該テレビ受像機の動作状態に基づいて、前記コマンド情報抽出手段により抽出された前記コマンド情報に応じた制御情報を前記コマンド情報記憶手段から抽出して、当該制御情報に基づく制御を行う制御手段と、
前記音声情報取得手段により取得された音声情報により、ユーザ所望のカスタマイズコマンド情報を設定する設定手段と、
前記設定手段により設定されたカスタマイズコマンド情報と、ユーザ所望の当該テレビ受像機における動作状態及びそれに応じた制御情報とを対応付けて前記コマンド情報記憶手段に登録するコマンド情報登録手段と、
を備えることを特徴とするテレビ受像機。
【請求項２】
外部から入力される音声情報の音声認識を行い、音声認識結果に基づき得られたコマンド情報により制御される電子機器において、
当該電子機器を制御するための一のコマンド情報と、複数の動作状態における各動作制御に関する制御情報とを対応付けて記憶するコマンド情報記憶手段と、
音声情報を取得する音声情報取得手段と、
前記音声情報取得手段により取得された前記音声情報の音声認識を行い、前記コマンド情報記憶手段に記憶された前記コマンド情報を抽出するコマンド情報抽出手段と、
前記コマンド情報抽出手段により前記コマンド情報が抽出された際、当該電子機器の動作状態を判別する判別手段と、
前記判別手段により判別された当該電子機器の動作状態に基づいて、前記コマンド情報抽出手段により抽出された前記コマンド情報に応じた制御情報を前記コマンド情報記憶手段から抽出して、当該制御情報に基づく制御を行う制御手段と、
を備えることを特徴とする電子機器。
【請求項３】
前記音声情報取得手段により取得された音声情報により、ユーザ所望のカスタマイズコマンド情報を設定する設定手段と、
前記設定手段により設定されたカスタマイズコマンド情報と、ユーザ所望の当該電子機器における動作状態及びそれに応じた制御情報とを対応付けて前記コマンド情報記憶手段に登録するコマンド情報登録手段と、
をさらに備えることを特徴とする請求項２に記載の電子機器。
【発明の詳細な説明】
【技術分野】
【０００１】
本発明は、音声認識により各種制御を行うことができる電子機器及びテレビ受像機に関する。
【背景技術】
【０００２】
近年、テレビやビデオ等の電子機器の多機能化・高機能化が進むに伴い、様々な機能に対応し、かつ簡易に操作可能なものが求められ、現在では、このような操作に音声認識技術を用いた電子機器が利用されている。
【０００３】
当該電子機器には、例えば、テレビ受信機に表示している番組や番組検索結果に含まれる番組の番組情報を予め取得しておき、指示代名詞や連体詞が音声認識された場合、予め取得しておいた番組情報を参照することにより、ユーザが指示代名詞や連体詞を含んだ自然な話し言葉で番組情報を検索し、表示できる音声認識機能を有する番組情報表示装置が知られている（特許文献１参照）。
【０００４】
また、「いつものようにやって」などと、ユーザが具体的に目的のコマンドを伝なくても、過去のコマンドの実行履歴からユーザの意図を推測して応答するコマンド処理装置が知られている（特許文献２参照）。
【特許文献１】特開２００４−２６０５４４号公報
【特許文献２】特開２００２−２８７７９３号公報
【発明の開示】
【発明が解決しようとする課題】
【０００５】
しかしながら、上記特許文献２に開示された装置では、例えば、同じコマンド「いつものようにやって」が異なる動作状態で入力された場合、過去のコマンドの実行履歴からユーザの意図を推測して制御を行うものであるため、当該機器の動作状態に応じた適切な制御を実行することはできない場合がある。
【０００６】
本発明の課題は、同じコマンドを入力しても、機器の動作状態に応じて適切な制御を行うことができる電子機器及びテレビ受像機を提供することである。
【課題を解決するための手段】
【０００７】
上記課題を解決するため、請求項１に記載の発明は、外部から入力される音声情報の音声認識を行い、音声認識結果に基づき得られたコマンド情報により制御されるテレビ受像機において、
当該テレビ受像機を制御するための一のコマンド情報と、複数の動作状態における各動作制御に関する制御情報とを対応付けて記憶するコマンド情報記憶手段と、
音声情報を取得する音声情報取得手段と、
前記音声情報取得手段により取得された前記音声情報の音声認識を行い、前記コマンド情報記憶手段に記憶された前記コマンド情報を抽出するコマンド情報抽出手段と、
前記コマンド情報抽出手段により前記コマンド情報が抽出された際、当該テレビ受像機の動作状態を判別する判別手段と、
前記判別手段により判別された当該テレビ受像機の動作状態に基づいて、前記コマンド情報抽出手段により抽出された前記コマンド情報に応じた制御情報を前記コマンド情報記憶手段から抽出して、当該制御情報に基づく制御を行う制御手段と、
前記音声情報取得手段により取得された音声情報により、ユーザ所望のカスタマイズコマンド情報を設定する設定手段と、
前記設定手段により設定されたカスタマイズコマンド情報と、ユーザ所望の当該テレビ受像機における動作状態及びそれに応じた制御情報とを対応付けて前記コマンド情報記憶手段に登録するコマンド情報登録手段と、
を備えることを特徴とする。
【０００８】
請求項２に記載の発明は、外部から入力される音声情報の音声認識を行い、音声認識結果に基づき得られたコマンド情報により制御される電子機器において、
当該電子機器を制御するための一のコマンド情報と、複数の動作状態における各動作制御に関する制御情報とを対応付けて記憶するコマンド情報記憶手段と、
音声情報を取得する音声情報取得手段と、
前記音声情報取得手段により取得された前記音声情報の音声認識を行い、前記コマンド情報記憶手段に記憶された前記コマンド情報を抽出するコマンド情報抽出手段と、
前記コマンド情報抽出手段により前記コマンド情報が抽出された際、当該電子機器の動作状態を判別する判別手段と、
前記判別手段により判別された当該電子機器の動作状態に基づいて、前記コマンド情報抽出手段により抽出された前記コマンド情報に応じた制御情報を前記コマンド情報記憶手段から抽出して、当該制御情報に基づく制御を行う制御手段と、
を備えることを特徴とする。
【０００９】
請求項３に記載の発明は、請求項２に記載の発明において、
前記音声情報取得手段により取得された音声情報により、ユーザ所望のカスタマイズコマンド情報を設定する設定手段と、
前記設定手段により設定されたカスタマイズコマンド情報と、ユーザ所望の当該電子機器における動作状態及びそれに応じた制御情報とを対応付けて前記コマンド情報記憶手段に登録するコマンド情報登録手段と、
をさらに備えることを特徴とする。
【発明の効果】
【００１０】
請求項１に記載の発明によれば、コマンド情報記憶手段によって、当該テレビ受像機を制御するための一のコマンド情報と、複数の動作状態における各動作制御に関する制御情報とを対応付けて記憶することができ、音声情報取得手段によって、音声情報を取得することができ、コマンド情報抽出手段によって、音声情報取得手段により取得された音声情報の音声認識を行い、コマンド情報記憶手段に記憶されたコマンド情報を抽出することができ、判別手段によって、コマンド情報抽出手段によりコマンド情報が抽出された際、当該テレビ受像機の動作状態を判別することができ、制御手段によって、判別手段により判別された当該テレビ受像機の動作状態に基づいて、コマンド情報抽出手段により抽出されたコマンド情報に応じた制御情報をコマンド情報記憶手段から抽出して、当該制御情報に基づく制御を行うことができる。
従って、同じコマンド情報を入力しても、テレビ受像機の動作状態に応じて適切な制御を行うことができることとなって、ユーザが覚える音声情報による入力コマンド数を減らすことができる。
また、設定手段によって、音声情報取得手段により取得された音声情報により、ユーザ所望のカスタマイズコマンド情報を設定することができ、コマンド情報登録手段によって、設定手段により設定されたカスタマイズコマンド情報と、ユーザ所望の当該テレビ受像機における動作状態及びそれに応じた制御情報とを対応付けて前記コマンド情報記憶手段に登録することができる。
従って、ユーザにとって分かりやすいコマンド情報にカスタマイズすることができることとなって、さらに使い勝手が良い。
【００１１】
請求項２に記載の発明によれば、コマンド情報記憶手段によって、当該電子機器を制御するための一のコマンド情報と、複数の動作状態における各動作制御に関する制御情報とを対応付けて記憶することができ、音声情報取得手段によって、音声情報を取得することができ、コマンド情報抽出手段によって、音声情報取得手段により取得された音声情報の音声認識を行い、コマンド情報記憶手段に記憶されたコマンド情報を抽出することができ、判別手段によって、コマンド情報抽出手段によりコマンド情報が抽出された際、当該電子機器の動作状態を判別することができ、制御手段によって、判別手段により判別された当該電子機器の動作状態に基づいて、コマンド情報抽出手段により抽出されたコマンド情報に応じた制御情報をコマンド情報記憶手段から抽出して、当該制御情報に基づく制御を行うことができる。
従って、同じコマンド情報を入力しても、電子機器の動作状態に応じて適切な制御を行うことができることとなって、ユーザが覚える音声情報による入力コマンド数を減らすことができる。
【００１２】
請求項３に記載の発明によれば、請求項２に記載の発明と同様の効果が得られることは無論のこと、設定手段によって、音声情報取得手段により取得された音声情報により、ユーザ所望のカスタマイズコマンド情報を設定することができ、コマンド情報登録手段によって、設定手段により設定されたカスタマイズコマンド情報と、ユーザ所望の当該電子機器における動作状態及びそれに応じた制御情報とを対応付けて前記コマンド情報記憶手段に登録することができる。
従って、ユーザにとって分かりやすいコマンド情報にカスタマイズすることができることとなって、さらに使い勝手が良い。
【発明を実施するための最良の形態】
【００１３】
以下、図面を参照しながら、本発明の実施の形態を詳細に説明する。
なお、本実施の形態では、電子機器として、ディジタルテレビ受像機を例に説明する。しかし、電子機器はこれに限られることなく、例えば、ビデオやエアコン等の家電機器であっても良い。
【００１４】
まず、図１を参照しながら、機器全体の構成及び要部構成について説明する。
本実施形態のディジタルテレビ受像機１００は、例えば、テレビジョン放送信号（以下、放送信号という。）を受信し、受信した放送信号を、所定の出力信号に変換し、映像／音声データを出力する機器本体部１と、ユーザが音声情報を機器本体部１に無線で出力することができると共に操作キーの押下操作により入力操作信号を送信することができるマイク付きリモートコントロール装置（以下、マイク付きリモコンという。）２と、を備えて構成されている。
【００１５】
次に、ディジタルテレビ受像機１００の要部構成について説明する。
機器本体部１は、放送信号を受信するアンテナ３と、アンテナ３により受信された放送信号から所定の放送チャンネルの放送信号を選局するチューナ４と、チューナ４から出力された放送信号の復調及び誤り訂正処理を行う復調部５と、復調部５で復調された放送信号から各データを分離抽出することで、映像／音声データを取得するデマルチクサ６と、デマルチクサ６で取得された映像／音声データに伸張処理を行うデコーダ７と、デコーダ７で伸張された映像データにＯＳＤデータを付加する表示制御手段としてのＯＳＤ（On-Screen Display）処理部８と、デコーダ７、ＯＳＤ処理部８で処理された映像／音声データを出力する表示手段としての受像部９と、音声情報を取得する音声情報取得部１０と、マイク付きリモコン２の操作キーの押下操作による入力操作信号を受信するとともに、当該入力操作信号を制御部１２に出力するリモコン信号受光部１１と、機器本体部１全体を統括制御する制御部１２と、各部を接続する制御バス１３と、を備えて構成されている。
【００１６】
音声情報取得部１０は、例えば、マイクロホンが用いられ、音声をそのまま音声情報として取得する。
音声情報取得部１０は、ユーザから所望のカスタマイズコマンドにおける音声情報を取得することにより、設定手段として機能する。
なお、音声情報取得部１０は、音声をそのまま音声情報として取得する場合に限らず、音声が音声信号に変換された後に、当該音声信号を音声情報として取得する設計であっても良い。
【００１７】
リモコン信号受光部１１は、マイク付きリモコン２に備わる各種キーがユーザにより押下操作されることにより出力された赤外線等の入力操作信号を受信し、当該入力操作信号を制御部１２に出力する。
【００１８】
制御部１２は、例えば、図１に示すように、ＣＰＵ（Central Processing Unit）１２１と、ＲＡＭ（Random Access Memory）１２２と、記憶部１２３と、などを備えている。
【００１９】
ＣＰＵ１２１は、記憶部１２３に記憶されたコマンドテーブル及び各種処理プログラムに従って各種の制御動作を行う。
【００２０】
ＲＡＭ１２２は、ＣＰＵ１２１によって実行される処理プログラムなどを展開するためのプログラム格納領域や、入力データや上記処理プログラムが実行される際に生じる処理結果などを格納するデータ格納領域などを備える。
【００２１】
記憶部１２３は、機器本体部１で実行可能なシステムプログラム、当該システムプログラムで実行可能な各種処理プログラム、これら各種処理プログラムを実行する際に使用されるデータ、ＣＰＵ１２１によって演算処理された処理結果のデータなどを記憶する。なお、プログラムは、コンピュータが読み取り可能なプログラムコードの形で記憶部１２３に記憶されている。
具体的には、記憶部１２３には、例えば、図１に示すように、コマンドテーブル１２３ａ、音声認識プログラム１２３ｂ、コマンド情報抽出プログラム１２３ｃ、判別プログラム１２３ｄ、制御プログラム１２３ｅ、コマンド情報登録プログラム１２３ｆ、などが記憶されている。
【００２２】
コマンドテーブル１２３ａは、機器本体部１を制御するためのコマンド情報を記憶したテーブルである。
具体的には、コマンドテーブル１２３ａは、機器本体部１を制御するための一のコマンド情報と、複数の動作状態における各動作制御に関する制御情報と、を対応付けて記憶している。
より具体的には、図２に示すように、機器本体部１を制御するための一のコマンド情報「そこ」と、複数の動作状態として、例えば、「映像受信中」、「ＣＨ ＵＰ連続選局中」、「ボリュームＵＰ連続操作中」などが対応付けられており、また、それぞれの動作状態時における処理内容「今の映像を静止画表示」、「ＣＨ ＵＰ選局を中断し、現在のＣＨを選局する」、「ボリュームＵＰ操作を中断し、現在の音量を設定」など、そしてそれぞれの処理内容に基づく制御情報が対応付けられて記憶されている。
記憶部１２３は、かかるコマンドテーブル１２３ａを記憶することで、コマンド情報記憶手段として機能する。
【００２３】
音声認識プログラム１２３ｂは、ＣＰＵ１２１に、音声情報取得部１０により取得した音声情報に対して音声認識処理を行う機能を実現させるプログラムである。
ここで、音声認識は、例えば、Ｊｕｌｉｕｓという音声認識ソフトウェアが用いられ、膨大な音声パターンと言語パターンの統計データを集積することにより実現される。音声認識の基本原理は、音響モデル（音素（ローマ字１文字にほぼ相当）や音節（かな１文字に相当））の周波数パターンを保持し、単語辞書を参照しながら、入力された音声の音声波形信号から単音節部分を切出した音節列信号とマッチングを行い、音声の認識を行う。
【００２４】
コマンド情報抽出プログラム１２３ｃは、ＣＰＵ１２１に、音声認識結果に基づくコマンド情報と一致するコマンド情報をコマンドテーブル１２３ａより抽出する機能を実現させるプログラムである。
具体的には、ＣＰＵ１２１は、コマンド情報抽出プログラム１２３ｃを実行することによって、例えば、図２に示すように、音声認識結果に基づき得られた一のコマンド情報「そこ」に一致するコマンド情報「そこ」をコマンドテーブル１２３ａから抽出する。
ＣＰＵ１２１は、かかるコマンド情報抽出プログラム１２３ｃを実行することにより、コマンド情報抽出手段として機能する。
【００２５】
判別プログラム１２３ｄは、ＣＰＵ１２１に、機器本体部１の動作状態を判別する機能を実現させるプログラムである。
具体的には、ＣＰＵ１２１は、判別プログラム１２３ｄを実行することにより、コマンド情報抽出プログラム１２３ｃの実行によりコマンド情報が抽出された際、機器本体部１の動作状態を、当該動作状態における制御情報などから判別する。
ＣＰＵ１２１は、かかる判別プログラム１２３ｄを実行することにより、判別手段として機能する。
【００２６】
制御プログラム１２３ｅは、ＣＰＵ１２１に、制御プログラム１２３ｅを実行することにより、音声認識結果に基づき得られたコマンド情報に基づく制御を行う機能を実現させるプログラムである。
具体的には、ＣＰＵ１２１は、制御プログラム１２３ｅを実行することによって、判別プログラム１２３ｄの実行により判別された機器本体部１の動作状態に基づいて、コマンド情報抽出プログラム１２３ｃの実行により抽出されたコマンド情報に応じた制御情報をコマンドテーブル１２３ａから抽出し、当該制御情報に基づいて制御を行う。
ＣＰＵ１２１は、かかる制御プログラム１２３ｅを実行することにより、制御手段として機能する。
【００２７】
コマンド情報登録プログラム１２３ｆは、ＣＰＵ１２１に、ユーザ所望のカスタマイズコマンド情報をコマンドテーブル１２３ａに登録する機能を実現させるプログラムである。
具体的には、設定手段として機能する音声情報取得部１０より取得されたユーザ所望の音声情報について、ＣＰＵ１２１が音声認識プログラム１２３ｂを実行することにより、得られた音声情報をカスタマイズコマンド情報として設定し、ＣＰＵ１２１は、コマンド情報登録プログラム１２３ｆを実行することにより、当該設定されたカスタマイズコマンド情報に対し、マイク付きリモコン２に備わる各種操作キーのうち、方向指示キー（図示省略）の押下操作により、ユーザ所望の機器本体部１における動作状態及びそれに応じた制御情報を特定し、カスタマイズコマンド情報と、特定した機器本体部１における動作状態及びそれに応じた制御情報とを対応付けてコマンドテーブル１２３ａに登録する。
ＣＰＵ１２１は、かかるコマンド情報登録プログラム１２３ｆを実行することにより、コマンド情報登録手段として機能する。
【００２８】
次に、本発明の機器本体部１の制御動作について、図３を用いて説明する。
まず、ステップＳ１において、機器本体部１は、音声情報取得待機状態にあり、ＣＰＵ１２１は、例えば、音声情報取得部１０により音声情報「そこ」が取得されたと判断した場合（ステップＳ１；Ｙｅｓ）、ステップＳ２へ進む。一方、ＣＰＵ１２１が音声情報の取得がないと判断した場合（ステップＳ１；Ｎｏ）は、繰り返し、音声情報取得待機状態となる。
【００２９】
次いで、ステップＳ２において、ＣＰＵ１２１は、音声認識プログラム１２３ｂを実行することによって、取得された音声情報「そこ」の音声認識を行う。
【００３０】
次いで、ステップＳ３において、ＣＰＵ１２１は、コマンド情報抽出プログラム１２３ｃを実行することにより、音声認識結果に基づくコマンド情報に対応するコマンド情報をコマンドテーブル１２３ａから抽出する。具体的には、ステップＳ３において、ＣＰＵ１２１がコマンド情報抽出プログラム１２３ｃを実行することにより、例えば、コマンド情報「そこ」が抽出された場合（ステップＳ３；Ｙｅｓ）、ステップＳ４へ進む。一方、ステップＳ３において、ＣＰＵ１２１がコマンド情報抽出プログラム１２３ｃを実行することにより、該当するコマンド情報が抽出されない場合（ステップＳ３；Ｎｏ）、本処理を終了する。
【００３１】
次いで、ステップＳ４において、ＣＰＵ１２１は、判別プログラム１２３ｄを実行することにより、機器本体部１の動作状態を判別し、ステップＳ５へ進む。
【００３２】
ステップＳ５において、ＣＰＵ１２１が判別プログラム１２３ｄを実行した結果、判別された機器本体部１の動作状態が、コマンドテーブル１２３ａに記憶された動作状態に該当する場合（ステップＳ５；Ｙｅｓ）、ステップＳ６へ進む。一方、ステップＳ５において、ＣＰＵ１２１が判別プログラム１２３ｄを実行した結果、判別された機器本体部１の動作状態が、コマンドテーブル１２３ａに記憶された動作状態に該当しない場合（ステップＳ５；Ｎｏ）、本処理を終了する。
具体的には、例えば、ＣＰＵ１２１がコマンド情報抽出プログラム１２３ｃを実行することによりコマンド情報「そこ」が抽出された際、機器本体部１が動作状態「映像受信中」にあれば、コマンドテーブル１２３ａに記憶された動作状態に該当することになる（図２参照）。一方、コマンド情報「そこ」が抽出された際、機器本体部１が動作状態「ミュート状態」にあれば、コマンドテーブル１２３ａに記憶された動作状態に該当せず（図２参照）、本処理を終了する。
【００３３】
次いで、ステップＳ６において、ＣＰＵ１２１は、制御プログラム１２３ｅを実行することにより、判別プログラム１２３ｄの実行により判別された機器本体部１の動作状態に応じた制御情報をコマンドテーブル１２３ａから抽出して、当該制御情報に基づいて制御を行い、本処理を終了する。
具体的には、例えば、上述の例のように、ＣＰＵ１２１がコマンド情報抽出プログラム１２３ｃを実行することによりコマンド情報「そこ」が抽出された際、機器本体部１が動作状態「映像受信中」にあれば、当該動作状態「映像受信中」に応じた処理内容「今の映像を静止画表示」に係る制御情報をコマンドテーブル１２３ａから抽出して、当該制御情報に基づいて制御を行い、本処理を終了する。
【００３４】
次に、本発明における機器本体部１のコマンドテーブル１２３ａへのカスタマイズコマンド情報の登録動作について、図４を用いて説明する。
【００３５】
まず、ステップＳ１１において、ＣＰＵ１２１は、例えば、ユーザによるマイク付きリモコン２に備わる各種キーのうちの登録キー（図示省略）の押下による押下信号の入力に基づいて、ＣＰＵ１２１は、コマンド情報登録プログラム１２３ｆを実行することにより、コマンド情報登録画面への移行を行う。
【００３６】
次いで、ステップＳ１２において、ユーザが所望のカスタマイズコマンドを発声することにより、設定手段として機能する音声情報取得部１０により当該カスタマイズコマンドの音声情報が取得され、ＣＰＵ１２１が音声認識プログラム１２３ｂを実行することにより得られた音声情報をカスタマイズコマンド情報として設定する。
具体的には、例えば、ユーザがカスタマイズコマンド情報として、「はい」というコマンド情報を設定したい場合、ユーザは、「はい」と発声することにより、音声情報取得部１０により音声情報「はい」が取得され、ＣＰＵ１２１が音声認識プログラム１２３ｂを実行することにより得られた音声情報「はい」をカスタマイズコマンド情報として設定する。
【００３７】
次いで、ステップＳ１３において、設定されたユーザ所望のカスタマイズコマンド情報に対応付けられるユーザ所望の機器本体部１における動作状態及びそれに応じた制御情報を、マイク付きリモコン２に備わる各種操作キーのうち、方向指示キー（図示省略）等の押下操作により特定し、マイク付きリモコン２の登録キー（図示省略）を押下操作することにより、コマンドテーブル１２３ａへの登録を完了し、本処理を終了する。
具体的には、例えば、機器本体部１の動作状態が「映像受信中」である時に、カスタマイズコマンド情報「はい」を入力することによりミュート状態に設定し、また、機器本体部１の動作状態が「ミュート状態」である時に、カスタマイズコマンド情報「はい」を入力することにより音量を元の状態に戻すようにカスタマイズしたい場合、ユーザは、マイク付きリモコン２に備わる方向指示キー（図示省略）の押下操作により、機器本体部１の動作状態「映像受信中」とそれに対応する処理内容「ミュート状態に設定」を、記憶部１２３に記憶されている動作状態情報及び処理内容情報の中から特定し、また同様に、機器本体部１の動作状態「ミュート状態」とそれに対応する処理内容「音量を元の状態に戻す」を特定する。そして、マイク付きリモコン２の登録キー（図示省略）を押下操作することにより、コマンドテーブル１２３ａへの登録を完了する。
【００３８】
以上説明した本発明にかかるディジタルテレビ受像機１００によれば、コマンドテーブル１２３ａによって、ディジタルテレビ受像機１００を制御するための一のコマンド情報と、複数の動作状態における各動作制御に関する制御情報とを対応付けて記憶することができ、音声情報取得部１０によって、音声情報を取得することができ、ＣＰＵ１２１が、コマンド情報抽出プログラム１２３ｃを実行することによって、音声情報取得部１０により取得された音声情報の音声認識を行い、コマンドテーブル１２３ａに記憶されたコマンド情報を抽出することができ、ＣＰＵ１２１が、判別プログラム１２３ｄを実行することによって、コマンド情報抽出プログラム１２３ｃの実行によりコマンド情報が抽出された際、当該ディジタルテレビ受像機１００の動作状態を判別することができ、ＣＰＵ１２１が、制御プログラム１２３ｅを実行することによって、判別プログラム１２３ｄの実行により判別された当該ディジタルテレビ受像機の動作状態に基づいて、ＣＰＵ１２１がコマンド情報抽出プログラム１２３ｃを実行することにより抽出されたコマンド情報に応じた制御情報をコマンドテーブル１２３ａから抽出して、当該制御情報に基づいて制御を行うことができる。
従って、同じコマンド情報を入力しても、ディジタルテレビ受像機１００の動作状態に応じて適切な制御を行うことができることとなって、ユーザが覚える音声情報による入力コマンド数を減らすことができる。
また、音声情報取得部１０により取得された音声情報により、ユーザ所望のカスタマイズコマンド情報を設定することができ、ＣＰＵ１２１が、コマンド情報登録プログラム１２３ｆを実行することによって、設定されたカスタマイズコマンド情報に対し、ユーザ所望の当該ディジタルテレビ受像機１００における動作状態及びそれに応じた制御情報をコマンドテーブル１２３ａに登録することができる。
従って、ユーザにとって分かりやすいコマンド情報にカスタマイズすることができることとなって、さらに使い勝手が良い。
【００３９】
なお、本発明は、上記実施の形態に限定されることなく、本発明の趣旨を逸脱しない範囲において、種々の改良並びに設計の変更を行っても良い。
例えば、設定手段は、音声情報取得手段により音声情報を取得してカスタマイズコマンド情報を設定する場合に限らず、マイク付きリモコン等に備わる各種操作キーの押下操作により設定を行う設計であっても良い。
また、コマンド情報抽出手段によって、コマンド情報記憶手段から該当するコマンド情報が抽出されない場合、表示手段にコマンド情報が抽出されなかった旨を表示する設計であっても良い。
また、例えば、各ユーザに適した音声信号の周波数パターンに関する音響モデルパターンを記憶部に予め記憶しておき、音声認識は、各ユーザに適した音響モデルパターンを用いて行う設計であっても良い。これにより、より正確な音声認識を行うことができる。
【図面の簡単な説明】
【００４０】
【図１】本発明にかかるディジタルテレビ受像機の要部構成を示すブロック図である。
【図２】本発明におけるコマンドテーブルの１例を示す図である。
【図３】本発明における機器本体部の制御動作を示すフローチャートである。
【図４】本発明におけるコマンドテーブルの登録動作を示すフローチャートである。
【符号の説明】
【００４１】
１００    ディジタルテレビ受像機（電子機器）
１        機器本体部
２        マイク付きリモコン（設定手段）
１０      音声情報取得部（音声情報取得手段、設定手段）
１２１    ＣＰＵ（コマンド情報抽出手段、判別手段、制御手段、コマンド情報登録手段）
１２３ａ  コマンドテーブル（コマンド情報記憶手段）
１２３ｂ  音声認識プログラム
１２３ｃ  コマンド情報抽出プログラム（コマンド情報抽出手段）
１２３ｄ  判別プログラム（判別手段）
１２３ｅ  制御プログラム（制御手段）
１２３ｆ  コマンド情報登録プログラム（コマンド情報登録手段）
【図１】
2007324866.tif 000003
【図２】
2007324866.tif 000004
【図３】
2007324866.tif 000005
【図４】
2007324866.tif 000006